(57)【要約】【課題】  ヘッドホン装置や電子機器に用いる入力コードをリール等の巻回装置に巻回し，渡りコードを介して他方のＤ／Ｕに中継するコミュテータ機構の取り付け時に治具を用いることなく容易に組み立てる。【解決手段】  左右ヘッドホンハウジング１Ｌ、１Ｒの内のリール１４の下フランジ１４ｂ側に金属集電リングを有する端子基盤１７を配設し、この端子基板１７と対抗する位置のハウジング２側に接点(ブラシ)を配置する。【選択図】  図１
2005333594.tif 000002
【特許請求の範囲】
【請求項１】
ヘッドホンハウジング内の枢軸に回動自在に枢着したリールにコードを巻回収納可能となしたヘッドホン装置に於いて、
上記ヘッドホンハウジングに接点を配設し、上記リールに金属集電リングを有する端子基板を配設して成ることを特徴とするヘッドホン装置。
【請求項２】
前記リールの下面に前記端子基板を配設し、前記ヘットホンハウジングの上部中ぐり部に対抗した位置に前記接点を配し、該リールに複数種類のコードを同時に巻回してなることを特徴とする請求項１記載のヘッドホン装置。
【請求項３】
携帯用の電子機器筐体内に立設した枢軸に回動自在に枢着したリールにコードを巻回収納可能となした電子機器に於いて、
上記電子機器筐体に接点を配設し、上記リールに金属集電リングを有する端子基板を配設して成ることを特徴とする電子機器。
【請求項４】
前記リールの下面に前記端子基板を配設し、前記電子機器筐体の上部中ぐり部に前記接点を配し、該リールに複数種類のコードを同時に巻回してなることを特徴とする請求項３記載の電子機器。
【請求項５】
筐体内の枢軸に回動自在に枢着したリールにコードを巻回収納可能となしたコード巻回装置に於いて、
上記筐体に接点を配設し、上記リールに金属集電リングを有する端子基板を配設して成ることを特徴とするコード巻回装置。
【請求項６】
筐体内の枢軸に回動自在に枢着したリールにコードを巻回収納可能となしたコード巻回方法に於いて、
上記筐体に接点を配設し、上記リールに金属集電リングを有する端子基板を配設して該リールに上記コードを巻回して成ることを特徴とするコード巻回方法。
【発明の詳細な説明】
【技術分野】
【０００１】
本発明はコードをヘッドホンハウジング或いは電子機器の筐体内に配設したリールに巻き取るようにしたリール巻回装置及びリール巻回方法に係わり、特に、コード巻回装置内の接点と金属集電リングを有するコミュテータ機構の配設位置を改良したヘッドホン装置及び電子機器並びにコード巻回装置とコード巻回方法に関する。
【背景技術】
【０００２】
従来から、携帯用のラジオ等の電子機器やヘッドホン装置に於いて、ヘッドホンの入力コードや渡りのコードを巻き取る巻回手段を内蔵したものがあり、これらコードは、ぜんまいばねの力で内部に向けて巻き取られるように付勢され、巻回時のみ係止するための係止手段があり、イヤホンやヘッドホンの使用時にはこの係止手段に抗してコードを必要な長さに引き出して使用し、収納するときは、この係止手段を解除する解除釦を押せば、ぜんまいばねの力によってコードが巻回されるように成されている。
【０００３】
上述の様なヘッドホン装置に用いるコード巻回手段が特許文献１に開示されている。図８は上記特許文献１に開示されているヘッドホン装置の全体的な構成を示し、図９は図８のＡ−Ａ断面矢視図を示すものである。図８に於いて、左右ヘッドホンハウジング１Ｌ、１Ｒは図９に示す様に前部ハウジング２ａと後部ハウジング２ｂで筐体を構成し、前部ハウジング２ａには電気−音響変換素子であるスピーカ等のドライブユニット（以下Ｄ／Ｕと記す）３が取り付けられ前部ハウジング２ａの前面には、このから発生する音圧を放射する音孔１ａが設けられ、前部ハウジングの前面にはイヤパット４が配設されている。
【０００４】
通常、ヘッドホン装置は左右の耳に装着されるので、図８のように電子機器に接続される接続端子８ａを有する入力プラグ８から入力コード９が一方の筐体、例えば、左ヘッドホンハウジング１Ｌ内に引き込まれ、左ヘッドホンハウジング１Ｌ内のＤ／Ｕ３に接続される。リード線１０は渡りコードで右ヘッドホンハウジング１Ｒ内に引き込まれ、右ヘッドホンハウジング１Ｒ内のＤ／Ｕ３に接続される。この渡りコード１０には束ねて自由になる長さを調節するスライダ１１が摺動自在に保持されている。又、左右ヘッドホンハウジング１Ｌ、１Ｒには保持手段を構成すると突出部２ｃが形成されている。この突出部２ｃには入力プラグ８を挿入可能な挿入口２ｄが設けられている。
【０００５】
入力コード９を巻き取る際に入力プラグ８は保持手段を構成する突出部２ｃの挿入口２ｄに保持させると、後述する巻回手段が入力コード９を左ヘッドホンハウジング１Ｌ内部に巻き取るように付勢しているのを阻止するように係止している係止手段を解除して、入力コード９は巻回手段に巻き取られるが、入力プラグ８が予め保持手段の突出部２ｃに保持されているので、入力プラグ８が入力コード９につられて引き込むことはなく、人体に当接しないように構成されている。尚、図８に於いて、後述するも４はイヤパット、７は耳掛けである。
【０００６】
次に、図９及び図１０並びに図１１によって、左右ヘッドホンハウジング１Ｌ、１Ｒの内部構造を説明する。図９は巻回手段を内蔵するヘッドホンハウジング部分の側断面図、図１０は図９のＢ部拡大断面図、図１１はコード巻回手段の内部構造を見た平面図である。
【０００７】
以下、ヘッドホン装置としての内部構成を図９で説明すると、後部ハウジング２ｂの周辺には対の支軸部５が設けられ(図８参照)、この支軸部５から内方に支軸５ａが突出し、この支軸５ａにばね６が掛けられ、支軸５ａは主軸部５の軸孔に嵌合させて回動自在とした耳掛け７の先端７ａが常に前部ハウジング２ａ側に付勢される様に、ばね６で付勢されている。耳掛け７は支軸５ａに対して先端７ａの反対側は押圧部７ｂとなっており、ここに滑り止め７ｃを設け、この部分を指で押圧することにより先端７ａが前部ハウジング２ｂから離れるように動く。
【０００８】
巻回手段は、入力コード９が引き込まれる左ヘッドホンハウジング１Ｌ、の前部ハウジング２ａに金属等の基板１２が複数のビス等で固定されている。基板１２の中心には枢軸となる回転軸１３の一端が立設され、回転軸１３にはリール１４が回転自在に挿嵌され、リール１４と回転軸１３とに両端を固定された、ぜんまいばね１５がリール１４の凹所１４ａに納められ、このぜんまいばね１５は押え板１６によって飛び出さないように押さえられ、回転軸１３の他端で押え板１６の上からＣリング１３ａで抜け止めがなされている。リール１４の下フランジ１４ｄの下面には複数の突起１２ｂが設けられ、リール１４が回転するときに基板１２と点接触することによって摩擦を減少させるようになっている。
【０００９】
図９及び図９のＢ部拡大図の図１０に示す様に、基板１２とリール１４のハブ間に形成した中ぐり部１４ｂには、リール１４に巻き取られた入力コード９のコードであるＬチャンネルのリード線９ａ、グランド（Ｇ）の共通リード線９ｂ、Ｒチャンネルのリード線９ｃの端部が夫々、電気的に弾性金属板よりなるブラシ状の接点１８ａ，１８ｂ，１８ｃに接続され、このブラシ状の接点１８ａ，１８ｂ，１８ｃは中ぐり部１４ｂに同心状に取り付けられている。一方、基板１２に取り付けられた端子基板１７には、ブラシ状の接点１８ａ，１８ｂ，１８ｃに対応する金属集電リング１９ａ，１９ｂ，１９ｃが設けられ、その接点１８ａ，１８ｂ，１８ｃが圧接されるようにコミュテータ機構を構成している。
【００１０】
従って、リール１４が回転しても、入力コード９を経由して入力された音声信号は、弾性金属板よりなるブラシ状の接点１８ａ，１８ｂ，１８ｃと金属集電リング１９ａ，１９ｂ，１９ｃの接触摺動により途切れることなく、端子基板１７に伝達され、端子基板１７から、リード線１７ａ，１７ｂを介しての端子板３ａの端子３ｂ，３ｃに伝達されるように構成されている。入力コード９の各リード線のうち、他方の右ヘッドホンハウジング１Ｒのへは、共通リード線９ｂ及びＲチャンネルのリード線９ｃが、これらと電気的に接続されたリード線１７ｃ，１７ｄを介し、これを束ねる渡りコード１０を経由して接続されるようになっている。
【００１１】
又、係止手段は、リール１４の２枚のフランジのうち基板１２側の外フランジ１４ｄの外周は鋸歯状に凹凸が繰り返された円周を整数分割して、図１１に示す様に爪車１４ｃを構成している。基板１２の突出片１２ｃには軸２０が植立され、この軸２０には係止片２１が回動自由に取り付けられている。この係止片２１は、入力プラグ８の接続端子８ａの先端が当接すべき作動部２１ａが突出し、また係止部２１ｂがリール１４の外フランジ１４ｄの外周の爪車１４ｃに当接する位置に設けられ、引掛部２１ｃから基板１２の引掛部１２ｄに掛けた、ばね２２によって図１１に於いて、反時計方向Ｃに付勢され、係止片２１ｂが外フランジ１４ｄの外周に形成した爪車１４ｃに常時圧接されるように構成されている。
【００１２】
又、保持手段としては、後部ハウジング２ｂの突出部２ｃに挿入口２ｄを設け、ここから入力プラグ８の接続端子８ａが挿入され、その先端近傍の小径部が保持ばね板２３の突出部で保持できるようになっている。
【００１３】
上述の様なブラシ状の接点１８ａ，１８ｂ，１８ｃと金属集電リング１９ａ，１９ｂ，１９ｃから成るコミュテータ機構での導通は繰り返しの動作による耐久力が求められる回転運動に対してムラ無く導通を保つためにはブラシ状の接点１８ａ，１８ｂ，１８ｃの組み付けを正確に行なう必要があるが、上述の構成では構造的に製造上の困難性があった。即ち、図１０と同様の構成を示す図１２（Ａ）〜（Ｃ）の様に、リール１４は限られた空間に最大限の入力コード９を巻回収納するためにブラシ状の接点１８ａ，１８ｂ，１８ｃを配設する使用可能な中ぐり部１４ｂのスペースは極めて限られたものと成り、リール１４のハブの下端に設けた小面積の中ぐり部１４ｂの厚みＴや直径Ｄを共に最小限の値にする必要があった。このため、図１２（Ａ）〜(Ｃ)に示す様にリール１４の肉厚を極限まで薄くし、中ぐり部１４ｂ内に溶着するブラシ状の接点１８ａ，１８ｂ，１８ｃの端子台座２５の間隔Ｄ１(図１２（Ｂ)参照)も僅かな面積しか取れなくなる課題を有していた。
【００１４】
又、リール１４のハブの下端に形成した中ぐり部１４ｂにブラシ状の接点１８ａ，１８ｂ，１８ｃを固定し、前後ハウジング２ａ又は２ｂに固定された基板１２の端子基板１７側に金属集電リング１９ａ，１９ｂ，１９Ｃを設ける様にした構造では、図１２（Ａ）〜(Ｃ)に示す様に小面積の中ぐり部１４ｂに、図１２(Ａ)の如くブラシ状の接点１８ａ，１８ｂ，１８ｃに穿った透孔内に端子台座２５に立設した溶着ピン２６に挿入するための冶具２７や溶着ピン２６にブラシ状の接点１８ａ，１８ｂ，１８ｃを溶着するための冶具２７ａを必要とするだけでなく肉薄の端子台座２５に金属のブラシ状の接点１８ａ，１８ｂ，１８Ｃを熱溶着するには専用の冶具を用いても調整に手間が掛かりか僅かな組付け面積の一寸したバラツキが製造不良の原因となる課題を有していた。
【特許文献１】特開２００２−１０３６９号公報(図１)
【発明の開示】
【発明が解決しようとする課題】
【００１５】
本発明は上述の課題を解決するために成されたものであり、ブラシ状の接点の取り付け角度も安定し、薄肉のリールにブラシ状の接点を溶着する必要が無く、組み立てやすく、冶具、工具が不要で不良品の低減、組立設備投資の低減が行なえ、廉価で小型の良品からなる左右ヘッドホン装置及び電子機器並びにコード巻回装置とコード巻回方法を得ることを目的とする。
【課題を解決するための手段】
【００１６】
本発明のヘッドホン装置はヘッドホンハウジング内の枢軸に回動自在に枢着したリールにコードを巻回収納可能となしたヘッドホン装置に於いて、ヘッドホンハウジングに接点を配設し、リールに金属集電リングを有する端子基板を配設して成るものである。
【００１７】
本発明の電子機器は携帯用の電子機器筐体内に立設した枢軸に回動自在に枢着したリールにコードを巻回収納可能となした電子機器に於いて、電子機器筐体に接点を配設し、リールに金属集電リングを有する端子基板を配設して成るものである。
【００１８】
本発明のコード巻回装置は筐体内の枢軸に回動自在に枢着したリールにコードを巻回収納可能となしたコード巻回装置に於いて、筐体に接点を配設し、リールに金属集電リングを有する端子基板を配設して成るものである。
【００１９】
本発明のコード巻回方法は筐体内の枢軸に回動自在に枢着したリールにコードを巻回収納可能となしたコード巻回方法に於いて、筐体に接点を配設し、リールに金属集電リングを有する端子基板を配設して該リールにコードを巻回して成るものである。
【発明の効果】
【００２０】
本発明のヘッドホン装置及び電子装置並びにコード巻回装置とコード巻回方法によれば、左右ヘッドホンハウジング１Ｌ、１Ｒの基板１２側にブラシ状の接点１８ａ，１８ｂ，１８ｃを装着するようにしたので端子台座２５部分の面積も大きく確保でき、取り付け角度も安定し、薄肉リール１４内の小空間の中ぐり部１４ｂにブラシ接点１８ａ，１８ｂ，１８ｃを溶着する必要が無く、組み立てが容易で冶具、工具が不要であり、不良品の低減、組立設備投資の低減が行なえ廉価で小型の良品を提供可能となる。
【発明を実施するための最良の形態】
【００２１】
以下、図面に基づいて本発明のヘッドホン装置の１形態例を説明する。図１は本発明のヘッドホン装置の１形態例のコード巻回部分を示す組み立て状態を示す側断面図、図２は図１のＡ部拡大図、図３は本発明のヘッドホン装置の組み立て状態を示す斜視図、図４は本発明のヘッドホン装置に用いる１形態例のコード巻回部分を示す要部の側断面図及び係止手段説明用の平面図、図５は本発明のヘッドホン装置の外観を示す平面図及び側面図、図６は本発明のヘッドホン装置の２種類のコードを同時に１つの巻回手段に巻回する様に成した配線図、図７は本発明の巻回手段を電子機器に適用した構成を示す側断面図である。
【００２２】
図１及び図２の説明に先だち、図４及び図５によって本発明のヘッドホン装置の全体的な構成を説明する。尚、従来の図８乃至図１２で説明したヘッドホン装置との対応部分には同一符号を付して説明する。
【００２３】
図５（Ａ）（Ｂ）は左右ヘッドホン装置のうちの一方の左ヘッドホンハウジング１Ｌを示すものであるが、本発明のヘッドホン装置は、図８で説明したと同様に一対の左右ヘッドホンハウジング１Ｌ、１Ｒによって構成されている。
【００２４】
一対の左右ヘッドホンハウジング１Ｌ、１Ｒは、左右対称に構成されているので、内部構造は同じであるので、先ず、図５に基づいて左ヘッドホンハウジング１Ｌのみを以下に説明する。
【００２５】
図５（Ａ）（Ｂ）は本発明の耳掛け型のヘッドホン装置の全体的構成を示す外観図であり、左ヘッドホンハウジング１Ｌは略シェル状に構成したハウジング２にイヤパット４を装着し、ハウジング２の外周部に成型した支軸部５に略Ｃ字状に合成樹脂で成型した耳掛け７が回動自在に枢着され、先端に入力プラグ８を接続した、入力コード９と渡りコード１０をハウジング２内に配設した巻回手段で同時に巻き取りできるように構成されている。
【００２６】
更に、ハウジング２の周辺部に設けた切欠状の開口部３０から入力プラグ８の付いた入力コード９及び渡りコード１０が導出されている。図５（Ａ）の構成では１つの開口部３０から２本のコードを導出する様にしているが、２個の開口部を設けて入力コード９と渡りコード１０を別々に導出し、リール１４の異なるフランジ間に巻回する様にして２本のコードの絡みを防止できるようにしても良い。
【００２７】
図５（Ａ）（Ｂ）に於いて、３１は後述するも押圧操作により、係止部２１ｂと爪車１４ｃから成るラチェット機構の係止を解除して、巻回手段内に巻回した２本のコード９、１０を解除する係止解除釦である。
【００２８】
図４は図５（Ａ）のＢ−Ｂ断面矢視図である。図４（Ａ）に於いて、ヘッドホンハウジング１Ｌは略円形の基板３４の前後の周辺に円形リブを設けた下部空間３３及び上部空間部３２が設けられたハウジング２が合成樹脂等で成型されている。
【００２９】
上述のハウジング２の前部リブで囲撓された下部空間３３内にはスピーカ等Ｄ／Ｕ３が配設され、このＤ／Ｕ３の前面には複数の音孔１ａの穿たれた合成樹脂等で成型した放音板３５が前部リブ内周に嵌着されている。前部リブ外周には発泡性ポリウレタン等でリング状に形成したイヤパット４が装着されている。
【００３０】
リング状の後部リブで囲撓された上部空間部３２内には、その中心部にハウジング２の基板３４の軸受３６から枢軸となる回転軸１３が立設され、金属集電リングのパターニングされた端子基板１７がリール１４のハブの下端に設けた中ぐり部１４ｂに嵌着され、リール１４に巻回した入力コード８及び／又は渡りコード１０の一端が金属集電リング１９ａ、１９ｂ、１９ｃに接続されている。ハウジング２の基板３４にはブラシ状の接点１８ａ，１８ｂ，１８ｃが固定されている。入力コード９及び渡りコード１０を巻回収納するリール１４は回転軸１３に対し、回動自在に枢着されている。このリール１３の下フランジ１４ｄにはカム３７を円周に形成した爪車１４ｃと成されている。
【００３１】
リール１４内には板ばねで構成したぜんまいばね１５が配設され、リール１４の下面には図４（Ｂ）で示す様に爪車１４ｃに設けられたカム３７に係止するラチェット機構を構成する係止片２１が設けられ、このカム３７と係止片２１とで係止手段を構成する係止解除釦３１を手等で押圧すると、カム３７と係止片２１の係止状態が解除され、ぜんまいばね１５の巻回力によってリール１４のハブの上下に形成した上下フランジ１４ｄ，１４ｅ間に入力コード９及び渡りコード１０が同時に巻回される様に成されている。尚、図４（Ｂ）で３９は上部空間部３２を覆う様にドーム状に合成樹脂で成型したハウジングキャップである。
【００３２】
図４（Ｂ）に於いて、リール１４の下フランジ１４ｄの周辺に形成したカム３７に対し、ハウジング２のリング状のリブ４０内の上部空間３３には略Ｌ字状に形成した係止片２１が軸２０を中心に回動可能に枢着され、係止片２１の一端は爪車１４ｃのカム３７に沿って当接可能に図示しない偏倚用ばねによって偏倚されている。
【００３３】
略Ｌ字状に形成された係止片２１の他端には係止解除釦３１が挿着されている。この係止解除釦３１を矢印Ｄ方向に押圧するとカム３７の段部から係止片２１の先端が外れることでリール１４に内蔵されているぜんまいばね１５の働きによって２本の入力プラグ８の付いた入力コード９及び渡りコード１０は回転軸１３を中心にリール１４が回転して巻回収納される。
【００３４】
この様にリール１４のハブの上下に形成した上下フランジ１４ｄ、１４ｅ間の空間部に巻回収納された入力コード９及び渡りコード１０を引き出すには、これら２本の入力コード９及び渡りコード１０を図４（Ｂ）に於いて、手等で引き出せば係止片２１は図４（Ｂ）でリール１４の回転軸１３を中心に矢印Ｆ方向（反時計方向）にカム３７を乗り越えながら間欠的に引き出すことができる。
【００３５】
次に、図１乃至図３により本発明のコミュテータ機構を詳記する。本発明のコミテータ機構はブラシ状の接点１８ａ，１８ｂ，１８ｃと金属集電リング１９ａ，１９ｂ，１９ｃの形成された端子基板１７から構成されている。図１及び図３のコード巻回部分の集電機構の組み立て状態を示す側断面図及び組み立て状態を示す斜視図に於いて、ハウジング２の基板３４上の略中心位置に立設した軸受３６上にはリール１４が回動自在に嵌着される回転軸１３が形成され、この回転軸１３を中心にブラシ状の燐青銅やベリルウム等から成る角状の金属接点１８ａ，１８ｂ，１８ｃが円周を３等分する位置に装着されている。この場合図２に示す様に金属接点１８ａ、１８ｂ、１８ｃのハウジング２の基板３４への取り付けは図２に示す様に、基板３４に形成した、金属接点端子４４を挿入可能な透孔４５内に挿入固定するだけですみ、金属接点１８ａ、１８ｂ、１８ｃの接点は基板３４に形成した押圧片４６によって端子基板１７の金属集電リング１９ａ，１９ｂ，１９ｃに常時当接可能である。従って、金属接点１８ａ、１８ｂ、１８ｃの溶着作業を省くことが可能となる。
【００３６】
上述のブラシ状の接点１８ａ，１８ｂ，１８ｃと対抗する位置にリング状に且つ、同心円状に金属集電リング１９ａ，１９ｂ，１９ｃがパターニングされた端子基板１７をリール１４の下フランジ１４ｄの内周とハブ間に形成した中ぐり部１４ｂに嵌着する。リール１４の上部には回転軸１３の摺割部に１端を係止し、他端をリール１４に係止させた、ぜんまいばね１５を上部空間４３に挿入し、押え板１６をぜんまいばね１５に覆せ、回転軸１３に押え板１６をＣリング等で固定する。
【００３７】
又、ハウジング２の下部空間３３には図３に示す様にＤ／Ｕ３が装着され、放音板３５を介してイヤパット４が装着されている。入力コード９及び渡りコード１０はリール１４に巻回され、入力コード９及び／又は渡りコード１０の１端は図２に示される様に端子基板１７の金属集電リング１９ａ，１９ｂ，１９ｃに半田処理等で接続される。
【００３８】
図６は、１つのリール１４内に２本の入力コード９及び渡りコード１０を巻回収納し、且つ入力コード９と渡りコード１０の途中の被覆を剥いでこの剥離部４８に端子基板７を半田付けして、連続した導体（１本の導体）と成した場合の端子基板１７への半田付個所を説明するための配線図である。
【００３９】
左右ヘッドホンハウジング１Ｌ内に１個の巻回手段を設けて２種類のコードを同時に巻回する場合には、図６に示す様に入力プラグ８の左右Ｌ，Ｒ及びグランドＧから成る接続端子８ａ付の入力コード９から例えば、左ヘッドホンハウジング１Ｌ内の（Ｌ）へ端子基板１７を介して入力(又はステレオヘッドセットのマイクロホンからの出力)された信号を、左右ヘッドホンハウジング１Ｌ、１Ｒを結ぶ渡りコード１０を介して、右ヘッドホンハウジング１Ｒ内のＤ／Ｕ３（Ｒ）に供給するためには端子基板１７に半田処理を行なう必要があるが、これらの半田付け作業は手作業の不確実性から不良発生の原因として上位を占める問題を有していた。
【００４０】
本発明ではリール１４の中ぐり部１４Ｂに端子基板１７を圧入する前に図６に示すように入力コード９のＧ用のリードの中間部分の被覆を剥いで剥離部４８を形成し、この剥離部４８を端子基板１７に小数字６で示す様に半田付するように成し、ホット側のＧ用のリードは左ヘッドホンハウジング１Ｌを介して右ヘッドホンハウジング１ＲのＤ／Ｕ３（Ｒ）にダイレクトに接続させれば、端子基板１７への半田付位置は小数字５、６で示す２個所で済み、多くの半田付を省くことが出来るだけでなく半田付けも広い場所で行なうことが可能となる。
【００４１】
即ち、上述の従来の様に小さな、左右ヘッドホンハウジング１Ｌ、１Ｒの中ぐり部１ｂ内に置かれたプラグ状の接点１８ａ、１８ｂ、１８ｃに入力コード９の端部の半田付け作業や溶着工程が省かれ、煩雑性と不良発生につながる原因が除かれて不良率の低減が期待できると共に、入力コード９の導体が切れ目の無い同一部品であるため、伝達ロスによる音質への低減（高音質）及び信頼性向上が期待できるものが得られる。
【００４２】
図７（Ａ）は本発明の巻回手段を携帯用のラジオ受信機、携帯用記録再生装置、携帯電話機、個人携帯情報端末（ＰＤＡ）等の電子機器内に装着した場合の要部を切断した側面図を示すものである。図７（Ａ）に於いて、５０は筐体を示しこの筐体５０又は筐体５０内に配設シャーシ５１の絶縁基板５２上にブラシ状の接点１８ａ，１８ｂ，１８Ｃを配置し、金属集電リング１９ａ，１９ｂ，１９ｃがパターニングされた端子基板１７をリール１４側に配設したものである。この場合リール１４に巻回される入出力コード５３の先端には左右用のイヤホン、ヘッドホン、マイクロホン、入力プラグ(入力ジャックを含む接栓)、出力プラグ(出力ジャックを含む接栓)５４が接続されている。この場合、リール１４の下フランジ１４ｄに端子基板１７を装着したが、リール１４の下フランジ１４ｄに直接金属集電リング１９ａ，１９ｂ，１９をパターニングする様にしても良い。
【００４３】
図７（Ｂ）に示すものは筐体５０の上部半体に枢軸５６を立設し、この枢軸５６にドラム５５を回動自在に枢着させドラム５５の下端にドラム５５の直径より大きな円盤状の端子基板１７を固定させたものであり、入出力コード５３はドラムに巻回される。
【産業上の利用可能性】
【００４４】
上述の巻回手段としてはカムを有する爪車と係止片の爪から成るラチェット機構について説明したが、この構成の代りにディスクブレーキ方式、歯車とラチェット方式、爪と爪冠車等の回転止めの係止手段を適用し得ることは明らかである。又、上述の構成ではリールのフランジ周辺を爪車としたがこの爪車の代わりに爪車を新たに設け、或いはリールをドラム等に変更が可能である。更に、マイクロホンを有するヘッドホンセットにも勿論適用可能である。
【図面の簡単な説明】
【００４５】
【図１】本発明のヘッドホン装置の１形態例を示すコード巻回手段の組み立て状態を示す側断面図である。
【図２】本発明のヘッドホン装置の１形態例を示す図１のＡ部拡大図ある。
【図３】本発明のヘッドホン装置の１形態例を示すコード巻回手段の組み立て状態を示す斜視図である。
【図４】本発明のヘッドホン装置の１形態例を示す要部の側断面図及び平面図である。
【図５】本発明のヘッドホン装置の１形態例を示す外観正面及び側面図である。
【図６】本発明のヘッドホン装置の１形態例を示す２本のコードを同時に巻回する場合に連線導線を用いた半田付位置を説明する配線図である。
【図７】発明の電子装置の１形態例のコード巻回手段の要部を示す１部側断面図である。
【図８】従来のヘッドホン装置の外観を示す平面図である。
【図９】従来のヘッドホン装置のコード巻回手段の要部を示す側断面図である。
【図１０】従来のヘッドホン装置を示す図９のＢ部拡大図である。
【図１１】従来のヘッドホン装置のコード巻回手段の要部を示す平面図である。
【図１２】従来のヘッドホン装置のコード巻回手段のコミュテータ組み立て方法を説明するための側断面図である。
【符号の説明】
【００４６】
１Ｌ、１Ｒ・・・・左右ヘッドホンハウジング、２・・・・ハウジング、２ａ・・・・ 前部ハウジング、２ｂ・・・・ 後部ハウジング、２ｄ・・・・ 挿入口、３・・・・   Ｄ／Ｕ（スピーカ）、４・・・・イヤパット、  ５・・・・ 支軸部、５ａ・・・・ 支軸、６・・・・ ばね、７ ・・・・耳掛け、８・・・・ 入力プラグ、８ａ・・・・ 接続端子、９・・・・ 入力コード、１０ ・・・・渡りコード、１２・・・・ 基板、１３ ・・・・回転軸、１４ ・・・・リール１４ｂｄ、１４ｅ・・・・上下フランジ、１５ ・・・・ぜんまいばね、１７ ・・・・端子基板、１８ａ，１８ｂ，１８ｃ・・・・接点（ ブラシ）、１９ａ，１９ｂ，１９ｃ・・・・ 金属集電リング、２１・・・・ 係止片、２１ａ ・・・・作動部、２１ｂ・・・・ 係止部
【図１】
2005333594.tif 000003
【図２】
2005333594.tif 000004
【図３】
2005333594.tif 000005
【図４】
2005333594.tif 000006
【図５】
2005333594.tif 000007
【図６】
2005333594.tif 000008
【図７】
2005333594.tif 000009
【図８】
2005333594.tif 000010
【図９】
2005333594.tif 000011
【図１０】
2005333594.tif 000012
【図１１】
2005333594.tif 000013
【図１２】
2005333594.tif 000014